(57)【要約】【課題】ハンチング現象を抑えつつ、起動時間を短縮することが可能な脱硫装置及び燃料電池システムを提供する。【解決手段】燃料電池システム１は、改質装置２と、脱硫装置３と、燃料電池スタック４とを備える。脱硫装置３は、液体燃料から硫黄分を除去する脱硫触媒を収容する脱硫器７と、脱硫器７内の液体燃料を加熱するためのヒータ８と、脱硫器７内の脱硫触媒の温度を測定する温度計１３と、ヒータ８に電圧を印加する電源９と、電源９を制御する制御部１５手段とを有する。制御部１５は、運転開始後、温度計１３によって測定される温度が通常運転時の目標温度に最初に達するまでは、２００Ｖをヒータ８に対して印加するように電源９を制御し、温度計１３によって測定される温度が通常運転時の目標温度に最初に達した後には、１００Ｖをヒータ８に対して印加するように電源９を制御する。【選択図】図１
2010235376.tif 000002
【特許請求の範囲】
【請求項１】
水素を含有する改質ガスを生成する改質器に供給するための液体燃料から硫黄分を除去する脱硫触媒を収容する脱硫器と、
前記脱硫器内の前記液体燃料を加熱するための加熱手段と、
前記脱硫器内の前記脱硫触媒の温度を測定する温度測定手段と、
前記加熱手段に電圧を印加する電源と、
前記電源を制御する制御手段とを備え、
前記制御手段は、
運転開始後、前記温度測定手段によって測定される温度が通常運転時の目標温度に最初に達するまでは、第１の電圧を前記加熱手段に対して印加するように前記電源を制御し、
前記温度測定手段によって測定される温度が通常運転時の目標温度に最初に達した後には、前記第１の電圧よりも低い第２の電圧を前記加熱手段に対して印加するように前記電源を制御することを特徴とする脱硫装置。
【請求項２】
水素を含有する改質ガスを生成する改質器に供給するための液体燃料から硫黄分を除去する脱硫触媒を収容する脱硫器と、
前記脱硫器内の前記液体燃料を加熱するための加熱手段と、
前記脱硫器内の前記脱硫触媒の温度を測定する温度測定手段と、
前記加熱手段に電圧を印加する電源と、
前記電源を制御する制御手段とを備え、
前記制御手段は、
運転開始後、前記温度測定手段によって測定される温度が１００℃以上で且つ通常運転時の目標温度未満の範囲で予め定められた温度に最初に達するまでは、第１の電圧を前記加熱手段に対して印加するように前記電源を制御し、
前記温度測定手段によって測定される温度が前記予め定められた温度に最初に達した後には、前記第１の電圧よりも低い第２の電圧を前記加熱手段に対して印加するように前記電源を制御することを特徴とする脱硫装置。
【請求項３】
前記第１の電圧が、電気事業法施行規則第４４条に基づく標準電圧２００Ｖであり、前記第２の電圧が、電気事業法施行規則第４４条に基づく標準電圧１００Ｖであることを特徴とする、請求項１又は２に記載された脱硫装置。
【請求項４】
請求項１〜３のいずれか一項に記載された脱硫装置と、
前記脱硫装置によって硫黄分が除去された液体燃料を用いて、水素を含有する改質ガスを生成する改質器と、
前記改質器によって生成された前記改質ガスを用いて発電を行う燃料電池スタックとを備えることを特徴とする燃料電池システム。
【発明の詳細な説明】
【技術分野】
【０００１】
本発明は、液体燃料から硫黄分を除去する脱硫装置、及びそのような脱硫装置を備える燃料電池システムに関する。
【背景技術】
【０００２】
燃料電池システムにおいては、改質器によって、水素を含有する改質ガスが生成され、燃料電池スタックによって、その改質ガスが用いられて発電が行われる。このような燃料電池システムには、改質原料として灯油等の液体燃料が改質器に供給される場合に改質触媒の劣化を防止するために、液体燃料から硫黄分を除去する脱硫器を設ける必要がある（例えば、特許文献１参照）。
【先行技術文献】
【特許文献】
【０００３】
【特許文献１】特開２００４−３２３２８５号公報
【発明の概要】
【発明が解決しようとする課題】
【０００４】
脱硫器において、灯油等の液体燃料から硫黄分を除去するためには、脱硫器内に配置されているヒータによって、液体燃料を目標温度（液体燃料として灯油を用いる場合には、例えば２００℃程度）に昇温、維持する必要がある。具体的には、日本の家庭用電源として一般的な１００Ｖをヒータに印加して液体燃料を目標温度まで昇温させた後、目標温度を維持するために、電源のＯＮ／ＯＦＦ制御や、サイリスタ等を用いた温度制御が行われる。なお、本明細書において、「１００Ｖ」とは、電気事業法（昭和３９年７月１１日法律第１７０号）第２６条第１項及び電気事業法施行規則第４４条で定める「標準電圧１００Ｖ（１０１Ｖ±６Ｖ）」を意味し、「２００Ｖ」とは、同法第２６条第１項及び同施行規則第４４条で定める「標準電圧２００Ｖ（２０２Ｖ±２０Ｖ）」を意味する。
【０００５】
ところで、燃料電池システムの効率的な運転を図る上では、燃料電池システムの起動時間をできる限り短くすること（脱硫器においては、脱硫器内のヒータの昇温をできる限り速く行うこと）が好ましい。そのため、日本の家庭用電源として１００Ｖの他に用いられている２００Ｖをヒータに印加して、液体燃料の昇温を行うことも考えられる。ジュール熱の大きさは電圧の大きさの２乗に比例することから、２００Ｖをヒータに印加した場合には、１００Ｖの場合と比較して液体燃料が急速に昇温することとなる。
【０００６】
しかしながら、２００Ｖをヒータに印加した場合には、１００Ｖの場合と比較して出力が大きくなっていることから、液体燃料を目標温度で維持するにあたり電源のＯＮ／ＯＦＦ制御等を行うと、ハンチング現象が起こりやすくなってしまう。特に、脱硫器における温度管理の条件は非常に厳しいものであり、液体燃料が気化してしまう温度よりもやや低い温度に目標温度が設定されることから、いったんハンチング現象によって液体燃料が気化してしまうと、ハンチング現象がいっそう増幅されてしまう傾向にある。一方、１００Ｖを用いたままでは、燃料電池システムの起動時間をできる限り短くするという要求を満足することができない。
【０００７】
そこで、本発明は、ハンチング現象を抑えつつ、起動時間を短縮することが可能な脱硫装置及び燃料電池システムを提供することを目的とする。
【課題を解決するための手段】
【０００８】
本発明に係る脱硫装置は、水素を含有する改質ガスを生成する改質器に供給するための液体燃料から硫黄分を除去する脱硫触媒を収容する脱硫器と、脱硫器内の液体燃料を加熱するための加熱手段と、脱硫器内の脱硫触媒の温度を測定する温度測定手段と、加熱手段に電圧を印加する電源と、電源を制御する制御手段とを備え、制御手段は、運転開始後、温度測定手段によって測定される温度が通常運転時の目標温度に最初に達するまでは、第１の電圧を加熱手段に対して印加するように電源を制御し、温度測定手段によって測定される温度が通常運転時の目標温度に最初に達した後には、第１の電圧よりも低い第２の電圧を加熱手段に対して印加するように電源を制御することを特徴とする。
【０００９】
本発明に係る脱硫装置では、脱硫装置の運転開始後、温度測定手段によって測定される温度が通常運転時の目標温度に最初に達するまで、第１の電圧を加熱手段に対して印加している。また、本発明に係る脱硫装置では、温度測定手段によって測定される温度が通常運転時の目標温度に最初に達した後には、第１の電圧よりも低い第２の電圧を加熱手段に対して印加している。つまり、脱硫装置の運転を開始すると、相対的に高い第１の電圧によって液体燃料が目標温度まで昇温され、その後、相対的に低い第２の電圧によって液体燃料の目標温度が維持される。その結果、相対的に高い第１の電圧のみを用いた場合と比較してハンチング現象が抑制されることとなり、且つ、相対的に低い第２の電圧のみを用いた場合と比較して脱硫装置の起動時間の短縮を図ることができることとなる。
【００１０】
また、本発明に係る脱硫装置は、水素を含有する改質ガスを生成する改質器に供給するための液体燃料から硫黄分を除去する脱硫触媒を収容する脱硫器と、脱硫器内の液体燃料を加熱するための加熱手段と、脱硫器内の脱硫触媒の温度を測定する温度測定手段と、加熱手段に電圧を印加する電源と、電源を制御する制御手段とを備え、制御手段は、運転開始後、温度測定手段によって測定される温度が１００℃以上で且つ通常運転時の目標温度未満の範囲で予め定められた温度に最初に達するまでは、第１の電圧を加熱手段に対して印加するように電源を制御し、温度測定手段によって測定される温度が予め定められた温度に最初に達した後には、第１の電圧よりも低い第２の電圧を加熱手段に対して印加するように電源を制御することを特徴とする。
【００１１】
本発明に係る脱硫装置では、脱硫装置の運転開始後、温度測定手段によって測定される温度が１００℃以上で且つ通常運転時の目標温度（１００℃よりも大きく、液体燃料が灯油である場合には２００℃〜２３０℃程度であることが多い）未満の範囲で予め定められた温度に最初に達するまで、第１の電圧を加熱手段に対して印加している。また、本発明に係る脱硫装置では、温度測定手段によって測定される温度が上記予め定められた温度に最初に達した後には、第１の電圧よりも低い第２の電圧を加熱手段に対して印加している。つまり、脱硫装置の運転を開始すると、相対的に高い第１の電圧によって液体燃料が上記予め定められた温度まで昇温され、その後、相対的に低い第２の電圧によって液体燃料の目標温度が維持される。その結果、相対的に高い第１の電圧のみを用いた場合と比較してハンチング現象が抑制されることとなり、且つ、相対的に低い第２の電圧のみを用いた場合と比較して脱硫装置の起動時間の短縮を図ることができることとなる。なお、ヒータの出力や脱硫器の大きさなどによって脱硫器内の液体燃料の上昇速度が異なってくるので、上記予め定められた温度は、ヒータの出力や脱硫器の大きさなどを考慮して決定される。
【００１２】
また、本発明に係る脱硫装置では、相対的に高い第１の電圧から相対的に低い第２の電圧への切り替えを、温度測定手段によって測定される温度が通常運転時の目標温度よりも低い温度である上記予め定められた温度に最初に達した時点で行っている。そのため、目標温度に達した時点で電圧の大きさを切り替える場合と比較して、オーバーシュートが生じにくくなっている。その結果、目標温度に対して追従性のよい温度制御が可能となる。
【００１３】
好ましくは、第１の電圧が、電気事業法施行規則第４４条に基づく標準電圧２００Ｖであり、第２の電圧が、電気事業法施行規則第４４条に基づく標準電圧１００Ｖである。このようにすると、日本の家庭用電源として一般に普及している１００Ｖ及び２００Ｖを利用することが可能となる。
【００１４】
また、本発明に係る燃料電池システムは、上記いずれかの脱硫装置と、脱硫装置によって硫黄分が除去された液体燃料を用いて、水素を含有する改質ガスを生成する改質器と、改質器によって生成された改質ガスを用いて発電を行う燃料電池スタックとを備えることを特徴とする。
【００１５】
本発明に係る燃料電池システムでは、上記いずれかの脱硫装置を備えているので、脱硫装置において、ハンチング現象を抑えつつ、起動時間を短縮することが可能となっている。そのため、燃料電池システムの効率的な運転を図ることが可能となる。
【発明の効果】
【００１６】
本発明によれば、ハンチング現象を抑えつつ、起動時間を短縮することが可能な脱硫装置及び燃料電池システムを提供することができる。
【図面の簡単な説明】
【００１７】
【図１】図１は、本実施形態に係る燃料電池システムを概略的に示す図である。
【発明を実施するための形態】
【００１８】
本発明に係る燃料電池システム１の好適な実施形態について、図面を参照して説明する。なお、説明において、同一要素又は同一機能を有する要素には同一符号を用いることとし、重複する説明は省略する。
【００１９】
燃料電池システム１は、図１に示されるように、水素を含有する改質ガスを生成する改質装置２と、改質装置２に供給するための液体燃料から硫黄分を除去する脱硫装置３と、改質装置２によって生成された改質ガスを用いて発電を行う燃料電池スタック４とを備えている。燃料電池システム１は、例えば、家庭用の電力供給源として利用されるものであり、容易に入手することができ且つ独立して貯蔵することができるという観点から、液体燃料として灯油が用いられている。
【００２０】
改質装置２は、液体燃料を水蒸気改質して改質ガスを生成する改質器５と、改質器５内に収容された改質触媒を加熱するバーナ６とを有している。バーナ６は、水蒸気改質反応を促進する改質触媒を加熱することで、触媒反応を効果的に発揮させるために必要な熱を改質触媒に供給する。改質器５では、脱硫装置３から導入された液体燃料が気化して原料ガスとなり、改質触媒によって、原料ガスと水蒸気（水）との水蒸気改質反応が促進されて、水素リッチな改質ガスが生成される。
【００２１】
脱硫装置３は、脱硫器７と、電源９と、制御部（制御手段）１５とを有している。脱硫器７の内部には、改質器５に供給するための液体燃料から硫黄分を除去する脱硫触媒（図示せず）と、ヒータ（加熱手段）８と、熱電対等の温度計（温度測定手段）１３とが設けられている。図１に示されるように、本実施形態においては、脱硫器７の下端から脱硫器７内に液体燃料が供給され、硫黄分が除去された液体燃料が、脱硫器７の上端に接続された液体燃料流通ライン１６を通って貯留容器１９へと流れるように構成されている（いわゆるアップフロー）。
【００２２】
ヒータ８は、脱硫触媒を所定の温度に加熱する。温度計１３は、脱硫器７内の下部に配置されており、脱硫器７内の脱硫触媒の温度を測定し、その温度を示す電気信号を制御部１５へと送信する。
【００２３】
電源９は、燃料電池スタック４から交流に変換された電力（１００Ｖ又は２００Ｖ）をヒータ８に印加する。制御部１５は、温度計１３によって測定された温度に基づいて、電源９のＯＮ／ＯＦＦ（０Ｖ，１００Ｖ，２００Ｖのいずれか）を制御する。
【００２４】
燃料電池スタック４は、複数の電池セルが積み重ねられて構成された固体高分子形燃料電池スタックであり、改質装置２で得られた改質ガスを用いて発電を行う。各電池セルは、アノードと、カソードと、アノードとカソードとの間に配置された電解質である高分子のイオン交換膜とを有している。各電池セルにおいては、アノードに改質ガスが導入されると共にカソードに空気が導入されて、電気化学的な発電反応が行われる。
【００２５】
図１に示されるように、脱硫装置３には、硫黄分が除去された液体燃料が流通する液体燃料流通ライン１６の一端が接続されており、液体燃料流通ライン１６の他端は、脱硫装置３よりも上方に配置された貯留容器１９の側壁に接続されている。貯留容器１９の底壁には、貯留容器１９内において下方に貯留された液体燃料を改質器５に導入するためのポンプ２２が設けられた液体燃料流通ライン２３、及び同液体燃料をバーナ６に導入するためのポンプ２４が設けられた液体燃料流通ライン２５が接続されている。なお、バーナ６には、バーナ６に空気を導入するためのポンプ２６が設けられた空気流通ライン２７が接続されている。このように、貯留容器１９に液体燃料を一旦貯留することで、ポンプ２２による改質器５への液体燃料の供給、及びポンプ２４によるバーナ６への液体燃料の供給を安定化させることができる。
【００２６】
以上のように構成された燃料電池システム１においては、液体燃料は、まず脱硫装置３の脱硫器７に導入され、高温・高圧の状態で脱硫触媒によって硫黄分が除去される。脱硫器７から導出された液体燃料は、液体燃料流通ライン１６を介して貯留容器１９に貯留される。貯留容器１９に貯留された液体燃料は、液体燃料流通ライン２３を介して改質器５に導入される。このとき、バーナ６には、液体燃料流通ライン２５を介して液体燃料が導入されると共に、空気流通ライン２７を介して空気が導入される。これにより、改質器５では、燃焼するバーナ６によって改質触媒が加熱され、液体燃料が用いられて改質ガスが生成される。改質器５で生成された改質ガスは、燃料電池スタック４に導入され、燃料電池スタック４では、改質ガスが用いられて発電が行われる。
【００２７】
次に、脱硫装置３の動作について説明する。まず、脱硫装置３が動作を開始すると、制御部１５が電源９に指示して、ヒータ８に印加する電圧を２００Ｖに設定する。これにより脱硫器７内の温度が上昇する。なお、温度計１３は、脱硫器７内の脱硫触媒の温度を連続的に計測し、その温度を示す電気信号を制御部１５へと送信している。
【００２８】
制御部１５では、温度計１３から受信した信号に基づいて、脱硫器７内の脱硫触媒の温度が目標温度（液体燃料が灯油であれば、２００℃）に達したか否かを判断する。脱硫器７内の脱硫触媒の温度が目標温度に達したと制御部１５が判断すると、制御部１５が電源９に指示して、ヒータ８に印加する電圧を１００Ｖに設定する。その後、制御部１５は、１００Ｖを用いて、脱硫器７内の脱硫触媒の温度を目標温度に維持するよう電源９を制御する。
【００２９】
以上のような本実施形態においては、脱硫装置の運転開始後、温度計１３によって測定される温度が通常運転時の目標温度（液体燃料が灯油であれば、２００℃）に最初に達するまで、２００Ｖ（第１の電圧）をヒータ８加熱手段に対して印加している。また、本実施形態では、温度計１３によって測定される温度が通常運転時の目標温度に最初に達した後には、２００Ｖ（第１の電圧）よりも低い１００Ｖ（第２の電圧）をヒータ８に対して印加している。つまり、脱硫装置３の運転を開始すると、相対的に高い電圧（２００Ｖ）がヒータ８に印加されて液体燃料が目標温度まで昇温され、その後、相対的に低い電圧（１００Ｖ）がヒータ８に印加されて液体燃料の目標温度が維持される。そのため、相対的に高い電圧（２００Ｖ）のみを用いた場合と比較してハンチング現象が抑制されることとなり、且つ、相対的に低い電圧（１００Ｖ）のみを用いた場合と比較して脱硫装置３の起動時間の短縮を図ることができることとなる。その結果、本実施形態に係る燃料電池システム１の効率的な運転を図ることが可能となる。
【００３０】
以上、本発明の好適な実施形態について詳細に説明したが、本発明は上記した実施形態に限定されるものではない。例えば、本実施形態では、温度計１３によって測定される温度が通常運転時の目標温度に最初に達するまで、２００Ｖをヒータ８加熱手段に対して印加し、温度計１３によって測定される温度が通常運転時の目標温度に最初に達した後には、２００Ｖよりも低い１００Ｖをヒータ８に対して印加していたが、これに限られない。具体的には、温度計１３によって測定される温度が１００℃以上で且つ通常運転時の目標温度（１００℃よりも大きく、液体燃料が灯油である場合には２００℃〜２３０℃程度であることが多い）未満の範囲で予め定められた温度に最初に達するまで、２００Ｖをヒータ８加熱手段に対して印加し、温度計１３によって測定される温度が上記予め定められた温度に最初に達した後には、２００Ｖよりも低い１００Ｖをヒータ８に対して印加してもよい。このようにすると、オーバーシュートが発生し難くなる。すなわち、オーバーシュートの発生を抑制する限度において、温度計１３によって測定される温度が通常運転時の目標温度よりも低い所定の温度に達したときに、電源９がヒータ８に印加する電圧を２００Ｖから１００Ｖに切り替えるようにしてもよい。
【００３１】
また、本実施形態では、電源９がヒータ８に印加する電圧を２００Ｖから１００Ｖに切り替えるようにしていたが、これに限られない。すなわち、日本では、電力系統から一般家庭へと１００Ｖ又は２００Ｖにて送電されるので、本実施形態では、これをそのまま利用するために２００Ｖから１００Ｖへの切り替えを行っていたが、１００Ｖや２００Ｖに限られず、相対的に高い電圧から相対的に低い電圧に切り替えるようにしてもよい。
【００３２】
また、燃料電池スタック４は、固体高分子形燃料電池スタックに限定されず、固体酸化物形燃料電池スタック等であってもよい。
【００３３】
また、改質器５は、水蒸気改質するものに限定されず、部分酸化改質や自己熱改質するものであってもよい。改質器５による改質方法は、灯油の他、ガソリン、ナフサ、軽油、メタノール、エタノール、ＤＭＥ（ジメチルエーテル）、バイオマスを利用したバイオ燃料等、液体燃料の特性に応じものとされる。
【符号の説明】
【００３４】
１…燃料電池システム、３…脱硫装置、４…燃料電池スタック、５…改質器、７…脱硫器、８…ヒータ（加熱手段）、９…電源、１３…温度計（温度測定手段）、１５…制御部（制御手段）。
【図１】
2010235376.tif 000003